(57)【要約】【課題】比較的狭い視野角を有する照明手段を提供すること。【解決手段】照明システム及び照明器具カバーを開示する。具体的には、照明システムは、複数の異なる照明目的のための最適な光ビーム形状を提供することができる。照明システムは、ＰＣＢと、カバーとを含み、カバーは、１以上のレンズ、及びカバーをＰＣＢに固定するための１以上のスナップフィット固定手段を備える。カバーにより、ビーム強度又は輝度を犠牲にすることなく、狭ビーム出力が可能となる。カバーにより、照明器具の組み立てプロセスは単純化される。【選択図】図１
2014120477.tif 000002
【特許請求の範囲】
【請求項１】
プリント回路基板（ＰＣＢ）に接続された複数の光源を有する当該プリント回路基板と、
前記ＰＣＢに熱的に結合されたヒートシンクと、
１以上のレンズ、及び１以上のスナップフィット手段を有するカバーであって、前記１以上のスナップフィット手段が、前記カバーを前記ＰＣＢ及び前記ヒートシンクの少なくとも一方と結合するように構成され、前記１以上のレンズにおける第１のレンズが、前記複数の光源における第１の光源の上に配置される、カバーと
を含む照明システム。
【請求項２】
前記ＰＣＢの上面は、１以上の凹部を含み、前記カバーの底面は、１以上の凸部を含み、前記１以上の凸部は、前記１以上の凹部と物理的に結合する、請求項１に記載の照明システム。
【請求項３】
前記１以上のレンズにおける第２のレンズは、前記複数の光源における第２の光源の上に配置される、請求項１に記載の照明システム。
【請求項４】
前記第１のレンズは、前記第２のレンズとは異なる少なくとも１つの配向特性を備える、請求項３に記載の照明システム。
【請求項５】
前記第１の光源は、輝度、強度、形、大きさ、及び色のうちの少なくとも１つが、前記第２の光源とは異なる、請求項３に記載の照明システム。
【請求項６】
前記１以上のレンズは、狭角ビームの光を生成する、請求項１に記載の照明システム。
【請求項７】
前記カバーは、モジュール式であり、前記ＰＣＢから取り外し可能である、請求項１に記載の照明システム。
【請求項８】
第１の光源と、
第２の光源と、
基部と、
カバーと
を含み、前記カバーは、
第１のレンズと、
第２のレンズと、
前記基部の外縁に結合されるように構成された１以上の縁部と
を含み、前記第１のレンズは、前記第１の光源の上に配置され、前記第２のレンズは、前記第２の光源の上に配置される、照明器具。
【請求項９】
前記基部は、プリント回路基板である、請求項８に記載の照明器具。
【請求項１０】
前記第１のレンズは、前記第２のレンズとは異なる少なくとも１つの光成形特性を備える、請求項８に記載の照明器具。
【請求項１１】
少なくとも１つのレンズは、狭角ビームの光を生成する、請求項８に記載の照明器具。
【請求項１２】
前記カバーは、モジュール式であり、前記基部から取り外し可能である、請求項８に記載の照明器具。
【請求項１３】
第３の光源をさらに含み、前記第１のレンズは、前記第１の光源及び前記第３の光源の上に配置される、請求項８に記載の照明器具。
【請求項１４】
照明器具において使用されるモジュール式カバーであって、
第１のレンズと、
第２のレンズと、
スナップフィット縁部と
を含み、前記カバーと、前記第１及び第２のレンズとが、単一片の材料において形成され、前記カバーが、可撓性材料から形成される、モジュール式カバー。
【請求項１５】
前記カバーは、キャノピー灯の上にフィットする形状を有する、請求項１４に記載のモジュール式カバー。
【請求項１６】
少なくとも１つのレンズが、狭角ビームの光を生成する、請求項１４に記載のモジュール式カバー。
【請求項１７】
前記第１のレンズは、第２のレンズとは異なる形状、大きさ、色、色合い、回折要素、含有物、高さ、及び深さのうちの少なくとも１つを備える、請求項１４に記載のモジュール式カバー。
【請求項１８】
前記可撓性材料は、シリコーンである、請求項１４に記載のモジュール式カバー。
【請求項１９】
前記第１のレンズは、第１タイプのものであり、第１組の配向特性を備え、前記第２のレンズは、第２のタイプのものであり、第２組の配向特性を備え、前記第１組の配向特性は、前記第２組の配向特性とは異なる、請求項１４に記載のモジュール式カバー。
【請求項２０】
前記モジュール式カバーの底面は、前記照明器具のプリント回路基板、基部、及び表面のうちの少なくとも１つを備えた前記モジュール式カバーと結合されるように構成された１以上の凸部を含む、請求項１４に記載のモジュール式カバー。
【発明の詳細な説明】
【技術分野】
【０００１】
本開示は、概して、光源のためのハウジング及びカバーに関する。
【背景技術】
【０００２】
発光ダイオード（ＬＥＤ）は、白熱灯、ハロゲンランプ、及び蛍光灯のような従来の光源に比べて、多くの利点を有している。利点としては、動作寿命が長く、電力消費が少なく、大きさが小さいことが挙げられる。その結果、昔ながらの照明目的において、従来の光源がＬＥＤに置き換えられることは、益々増加している。例えば、ＬＥＤは現在、懐中電灯、カメラのフラッシュ、交通信号灯、自動車のテールライト、及びディスプレイデバイス等に使用されている。また、ＬＥＤは、居住施設、商業的及び工業的目的にも広く普及してきている。
【０００３】
既存のＬＥＤベースのキャノピー灯は、−３０度、９０度、又は４５度×７５度の楕円形の広い視野角を有する個別の反射カップを使用している。現在のキャノピー灯反射器は、４０度未満の視野角の楕円形を実現することができない。また、反射カップを使用する既存のＬＥＤベースのキャノピー灯は、個々の反射器を、個々のプリント回路基板（ＰＣＢ）の各々の上に配置している。反射カップは、物理的ロック及びねじを使用して取り付けられている。さらに、キャノピー灯アセンブリの正面は、強化ガラスで覆われている。既存のＬＥＤベースのキャノピー灯アセンブリを製造するプロセスは、大量の物理的ロックを必要とするため、時間がかかる。加えて、物理的ロックに用いられるねじを強く締めすぎると、強化ガラスは簡単に壊れる。そのような破損は、製造時間、コスト、及び安全性リスクを増加させる。
【発明の概要】
【課題を解決するための手段】
【０００４】
したがって、本開示の一態様は、比較的狭い視野角を有する照明手段を提供するためのものである。具体的には、本開示の種々の実施形態は、４０度以下の視野角を有するキャノピー灯及び他の他のタイプの照明を製造する能力を提供する。本開示において説明されるキャノピー灯手段によれば、所望のレンズ角及び形状に関するフレキシビリティが得られる。キャノピー灯における狭い視野角は、ラック間における倉庫通路において有用である。なぜなら、狭い視野角は、ラックにより遮られることがなく、したがって、十分な光を提供することができるからである。
【０００５】
また、本開示の一態様は、キャノピー灯及び他の照明器具に関連する組み立てプロセスを単純化し、組み立て時間及びコストを低減するためのものである。より具体的には、本開示の種々の実施形態は、組み立ての際の強化ガラスカバー破損に関連する一部の問題を解消する。強化ガラス破損問題の低減は、ひいては、ＬＥＤベースのキャノピー灯の製造に関連する組み立てコスト、時間及び安全性リスクを低減する。さらに、本開示は、照明器具の総重量を低減する。
【０００６】
本明細書に開示されるような照明器具カバーは、その重量及び破損の傾向を低減するために、（シリコンのような）弾力性を有する可撓性材料から作成されることができる。カバーをプリント回路基板（ＰＣＢ）又は照明器具にパチンと取り付けるために、カバーは、Ｕ字形ロックフィット縁部を有する場合がある。これによって、ねじを用いて強化ガラスカバーを照明器具に物理的に固定する必要がなくなり、したがって、組み立てプロセスが単純化される。さらに、カバーは、そこに形成された種々のレンズを有する場合があり、それによって、個々の反射器、反射器カップ、又はレンズを各ＰＣＢ又は光源上に物理的に固定する必要がなくなり、組み立てプロセスはさらに単純化される場合がある。カバーはそれ自体の中に形成された種々のレンズを有することから、カバーは耐候性である場合があり、それによって、照明器具を屋外で使用することができる場合がある。
【０００７】
本開示の一態様は、本明細書に記載される種々のキャノピー灯実施形態に類似した利点を有する管照明及び装飾照明手段を提供するためのものである。より具体的には、キャノピー灯に関連して本明細書に記載される種々の特徴は、管照明、ペンダント照明、埋め込み式照明などを含む多数の他のタイプの照明にも適用可能であると考えられる。
【０００８】
本開示は、図面及び下記の詳細な説明からより良好に理解されるであろう。本説明には、具体的な詳細が記載されるが、本発明の特定の実施形態は、それらの具体的な詳細なしに実施される場合もあると理解すべきである。
【０００９】
本開示は、添付の図面に関連して説明される。
【図面の簡単な説明】
【００１０】
【図１】本開示の種々の実施形態による第１のキャノピー灯を示す等角図である。
【図２】本開示の種々の実施形態による第２のキャノピー灯を示す等角図である。
【図３】本開示の種々の実施形態による第１の照明器具を示す等角図である。
【図４】本開示の種々の実施形態による照明器具カバーを示す等角図である。
【図５】図４の照明器具カバーのＡ−Ａにおける断面図である。
【図６】本開示の種々の実施形態による第２の照明器具を示す側面図である。
【図７】本開示の種々の実施形態によるカバーを取り外した状態における第３の照明器具を示す側面図である。
【図８】本開示の種々の実施形態による第４の照明器具を示す側面図である。
【図９】本開示の種々の実施形態による製造方法を示すフロー図である。
【発明を実施するための形態】
【００１１】
下記の説明は、単に種々の実施形態を提供するものであり、特許請求の範囲、適用可能性、又は構成を制限することを意図するものではない。むしろ、下記の説明は、当業者に対し、記載した種々の実施形態の実施を可能にするための説明を提供するものである。好ましい実施形態は、本発明を例示するために記載されるものであり、特許請求の範囲により規定される発明の範囲を制限するものではない。種々の実施形態において、類似の要素は類似の参照符号を用いて共通に示される。添付の特許請求の思想及び範囲から外れることなく、種々の要素の機能及び構成について、種々の変形を施すことが可能であるものと理解される。
【００１２】
特定の構成要素は、特定の材料を用いて構成されるものとして説明されるが、当業者には明らかであるように、ある構成要素について使用された任意のタイプの適当な材料は、他の構成要素にも使用される場合がある。例えば、本明細書に記載される種々の構成要素のうちの何れか１つは、金属、鋼鉄、合金、プラスチック（例えば、ＰＥＴ、ＰＴＦＥ、ＰＶＣなど）、セラミック、ガラス、木、ゴム、ポリマー、シリコーン、又はそれらの種々の組み合わせから構成される場合がまる。
【００１３】
当業者には理解されるように、本明細書において提示される種々の実施形態は、キャノピー灯のみに限定されるものではない。概念は、管照明、ペンダント照明、埋め込み式照明などにも適用される場合がある。
【００１４】
最初に図１を参照し、本開示の種々の実施形態にしたがって、第１のキャノピー灯１００について説明する。第１のキャノピー灯１００は、本明細書においてルミネッセンスと呼ばれることもある。第１のキャノピー灯１００は、第１のキャノピー灯１００が多数の異なる照明目的（例えば、居住施設、商業的、工業的など）において光を提供することを可能とする１以上の構成要素を含む場合がある。また、第１のキャノピー灯１００の種々の構成要素は、後で詳細に説明される他の類似タイプの種々の構成要素と交換可能である場合がある。具体的には、第１のキャノピー灯１００の種々の構成要素は、事実上モジュール式である場合があり、したがって、多数の異なる照明目的に容易に適合可能である場合がある。一部の実施形態において、第１のキャノピー灯１００は、複数タイプの光源（例えば、異なる輝度、強度、色、形、大きさなどの特性を有する種々の光源）を提供する機能を有するため、ハイブリッド・キャノピー灯とみなされる場合がある。
【００１５】
第１のキャノピー灯１００に含まれる場合がある非制限的な例示的構成要素には、支持構造１０４、複数のレンズ１３２ａ〜Ｎを備えたカバー１０８、及び複数の発光体群１１６ａ〜Ｎ（Ｎは１以上）を含む。図１に示される実施形態において、発光体群１１６ａ〜ｅはそれぞれ支持構造１０４の上に配置され、発光体群１１６ａ〜ｅが、第１のキャノピー灯１００の主表面にわたって均等に分散されるように構成される場合がある。
【００１６】
一部の実施形態において、カバー１０８は、複数の溝又は穴１１２ａ〜Ｎ（Ｎは１以上）の上にフィット（適合）する複数のレンズ１３２ａ〜Ｎを有する。図１に示される実施形態において、カバー１０８は、５つのレンズ１３２ａ〜ｅを含み、レンズ１３２ａ〜ｅは、５つの溝１１２ａ〜ｅの上にそれぞれフィットし、又はそれらを覆っている。各溝１１２ａ〜ｅは、異なる発光体群１１６ａ〜ｅをそれぞれ受け入れ、又はそれらの上にフィットするように構成される。カバー１０８は、ポリマー、シリコーン、ガラス、セラミックなどのような任意のタイプの材料から作成することができる。一実施形態において、カバー１０８は、シリコーンのような可撓性材料から形成される場合がある。レンズ１３２ａ〜ｅを有するカバー１０８は、光ビーム、及び光ビームがキャノピー１００から放射される角度を制御するために使用される。より具体的には、レンズ１３２ａ〜ｅは、群１１６内の種々の光源（例えば、ＬＥＤ）により放射される光が狭い視野角よりも大きな角度で放射される場合であっても、光をその狭い視野角（例えば４０度未満）に成形する場合がある。また、レンズ１３２ａ〜ｅは、４０度未満の視野角を有する楕円形を実現する場合がある。一部の実施形態において、カバー１０８上のレンズ１３２は、発光体群１１６が異なるビーム形状を生成することを可能にし、それによって、第１のキャノピー灯１００により光が分散される態様を増加させる場合がある。また、カバー１０８は、第１のキャノピー灯１００の審美的性質を向上させるために使用されるとともに、発光体群１１６ａ〜ｅ内に含まれる種々の光源に電流を供給する第１のキャノピー灯１００の種々の電気的構成要素を覆い、又はそれらを保護するためにも使用される場合がある。
【００１７】
代替的又は追加的に、一部の実施形態では、第１のキャノピー灯１００を屋外で使用することを可能にするために、レンズ１３２ａ〜ｅは、カバー１０８の中に形成され、カバー１０８が耐候性及び／又は耐水性となるように構成される場合がある。カバーは、ＩＰコード（すなわち、防水防塵保護等級（Ingress Protection Rating）、又は国際保護等級）を用いて格付けされる場合がある。また、実施形態によっては、第１のキャノピー灯１００を屋外で使用することを可能にするために、カバー１０８は、シリコーンのようなポリマーから形成され、カバー１０８がさらに耐熱性となるように構成される場合がある。
【００１８】
一部の実施形態において、カバー１０８は、第１のキャノピー灯１００全体の上にフィットする場合があり、各レンズ１３２が、１つの発光体群１１６を覆うように構成される場合がある。代替的又は追加的に、カバー１０８は、第１のキャノピー灯１００全体の上にフィットする場合があり、各光源又は反射器カップ１２０を覆うために１つのレンズ１３２を有する場合がある。さらに、カバー１０８は、それら両方の組み合わせを含む場合があり、その場合、カバー１０８は、発光体群１１６の全体を覆う幾つかのレンズ１３２、及び、個々の光源又は反射器カップ１２０の各々を覆う他のレンズ１３２を有する場合がある。
【００１９】
一部の実施形態において、各発光体群１１６ａ〜Ｎは、独自のカバー１０８ａ〜Ｎをそれぞれ有する場合がある。したがって、第１のキャノピー灯１００は、複数のカバー１０８ａ〜Ｎ（Ｎは１以上）を有する場合がある。
【００２０】
ＰＣＢは、通常、ＬＥＤとともに使用される。したがって、実施形態によっては、第１のキャノピー灯１００は、１つのＰＣＢを有する場合があり、その上に、各発光体群が取り付けられる場合がある。さらに、実施形態によっては、各発光体群１１６ａ〜Ｎは、独自のＰＣＢに取り付けられる場合があり、それによって、キャノピー灯は、Ｎ個（Ｎは１以上）のＰＣＢを有するように構成される場合がある。
【００２１】
図１から見て取れるように、発光体群のうちの１以上は、他の発光体群とは異なる１以上の光分散特性を有する場合がある。図１に示される例において、第１の発光体群１１６ａは、他の発光体群１１６ｂ〜ｅにおける反射器カップ１２０とは異なる形状の複数の反射器カップ１２０を含む。より具体的には、第１の発光体群１１６ａの反射器カップ１２０は、丸い形を有するように構成されているのに対し、他の発光体群１１６ｂ〜ｅの反射器カップ１２０は、矩形を有するように構成されている。一部の実施形態において、反射器カップの多様な性質は、第１のハイブリッド・キャノピー灯１００が、ビーム強度を犠牲にすることなく、より均等に分散された量の光を生成することを可能にする。さらに、発光体群１１６の反射器カップ１２０は、その底面に、光源の周りにフィットし、及びＰＣＢの上面に結合する穴、又は溝を有する場合がある。
【００２２】
第１の発光体群１１６ａは、他の発光体群１１６ｂ〜ｅの反射器カップ１２０とは異なる第１のタイプの反射器カップを有するものとして示されているが、当然ながら、発光体群が異なるビーム形状を生成することを可能とし、それによって第１のキャノピー灯１００により光が分散される態様を増加させるために、発光体群は、他の異なる特性を有する場合もある。一部の非制限的な例として、発光体群１１６の１つは、第１のタイプの複数の反射器カップ１２０（例えば、光ビームを３０度から６０度までの間で放射するように設計された狭角反射器カップ、光ビームを９０度から１２０までの間で放射するように設計された広角反射器カップ、楕円形の反射器カップ、矩形の反射器カップ、正方形の反射器カップ、多角形の反射器カップ、反射器カップ無し）を有する一方、他の発光体群１１６は、第２のタイプの複数の反射器カップ（例えば、第１のタイプとは異なるいずれかの上記タイプの反射器カップ）を有する場合がある。
【００２３】
一部の実施形態において、発光体群１１６は、反射器カップ１２０を全く有しない場合がある。なぜなら、カバー１０８内のレンズ１３２が、必要な光成形特性を提供する場合があるからである。図１に示されるレンズ１３２は全て同じに見えるが、当然ながら、カバー１０８上のレンズ１３２は、本開示の種々の実施形態にしたがって異なる場合がある。例えば、発光体群１１６のうちの１つは、第１のタイプのビーム成形レンズを有する場合がある一方、発光体群１１６のうちの他のものは、第２のタイプのビーム成形レンズを有する場合がある。代替的又は追加的に、カバー１０８は、１つの発光体群１１６の上に第１のタイプのビーム成形レンズ１３２を有する場合があり、第２の発光体群１１６の上に第２のタイプのビーム成形レンズ１３２を有する場合がある。第１のレンズタイプは、形状（例えば、ドーム形、平坦、多焦点など）、材料（例えば、エポキシ、シリコーン、シリコーンとエポキシの混合物、蛍光体、蛍光体とシリコーンの混合物、アモルファスのポリイミド樹脂又はフッ化炭素、ガラス、プラスチック、それらの組み合わせ）、回折要素、色合い／色、高さ、幅などのうちの１以上に基づいて、第２のレンズタイプとは異なる場合がある。
【００２４】
発光体群１１６によって異なる場合があるさらに別の光成形態様は、異なるタイプの発光体群１１６に与えられる光源及び反射器カップ１２０の数である。例えば、発光体群の１つのタイプは、第１数の光源及び反射器カップ１２０を有する場合がある一方、第２のタイプの発光体群は、第２数の光源及び反射器カップ１２０を有する場合がある。
【００２５】
さらに、第１のキャノピー灯１００は、２つの異なるタイプの発光体群を有するものとして示されているが、当然ながら、異なる発光体群の数は、２からＮまでの間で様々に異なる場合がある。換言すれば、第１のキャノピー灯１００（及び本明細書に記載される他の何れかのキャノピー灯）は、２つの異なるタイプの発光体群から、最大でＮまでの異なるタイプの発光体群を含む場合がある。図１の例を使用する場合、本開示の範囲を外れることなく、２、３、４又は５つの異なるタイプの発光体群が存在する場合がある。
【００２６】
次に、図２を参照し、本開示の少なくとも一部の実施形態にしたがって、第２のキャノピー灯２００について説明する。第２のキャノピー灯２００は、両キャノピー灯が、複数の発光体群、及び当該発光体群における光源を有する点で、第１のキャノピー灯１００と類似、又は同一である場合がある。実際、第２のキャノピー灯２００は、異なる数の溝２１２又は異なる取り付け手段を有する、すなわち、図１に示したような支持手段１０４を有しない異なるカバー２０８を有する点を除き、第１のキャノピー灯１００である場合がある。
【００２７】
実施形態によっては、第２のキャノピー灯２００は、カバー２０８を第２のキャノピー灯２００に固定するためのＵ字形ロックフィット縁部を備えたカバー２０８を含む。各溝２１２は、異なる発光体群２１６を受け入れ、又はその周りにフィットするように構成される。第１のキャノピー灯１００の場合と同様に、第２のキャノピー灯２００は、異なるタイプの発光体群２１６を有する場合がある。図２に示される発光体群は、反射器カップタイプに基づいて異なっているが、当然ながら、発光体群が異なる態様は、反射器カップ特性、レンズ特性、材料特性、光源（例えば、ＬＥＤ）の数、及びそれらの組み合わせに基づいて、異なる場合がある。
【００２８】
図２に示される実施形態において、照明器具カバー２０８は、カバー２０８を第２のキャノピー灯２００上に保持するするために、ＰＣＢの周りにパチンと取り付けられるＵ字形ロックフィット縁部を含む。このＵ字形縁部は、カバー２０８の周縁全体を取り囲み、Ｕ字形縁部がカバー２０８の４辺全てに接触し、４辺においてＰＣＢに対してパチンと取り付けられる場合がある。Ｕ字形縁部を有することにより、第２のキャノピー灯２００の発光体群２１６及び他の電子構成部品は、湿気、熱、及び気候からさらに保護される。一実施形態において、Ｕ字形縁部を備えたカバー２０８を使用することには、多数の利点がある。Ｕ字形縁部については、図５〜図８を参照して、以下で詳しく説明される。
【００２９】
次に図３を参照すると、第１の照明器具３００は、後で詳しく説明される種々の構成要素部品を有する。当然ながら、第１の照明器具３００の種々の構成要素部品に関して本明細書に記載される詳細は、第１又は第２のキャノピー灯１００、２００の構成要素部品にも適用することができる。また、第１、第２のキャノピー灯１００、２００に関係して説明される態様はいずれも、第１の照明器具３００にも適用することができる。
【００３０】
図３は、レンズ３３２を有するカバー３０８が、具体的にどのような形で、各光源３５４の上に１つのレンズを有する場合があるかを示している。一部の実施形態において、第１の照明器具３００に含まれることがある種々の構成要素としては、制限はしないが、レンズ３３２を有するカバー３０８、ＰＣＢ３５０、及び複数の光源３５４がある。実施形態によっては、光源３５４は、単一ダイＬＥＤ又は他のＬＥＤである場合があり、輝度、強度、形状、大きさ、及び色のうちの１以上に関して異なる場合がある。
【００３１】
一部の実施形態において、第１の照明器具３００は、電源からＰＣＢ３５０へ電流を運ぶワイヤー及び／又は回路をさらに含む。より具体的には、電源は、当該電源を外部ＰＣ電源に接続し、ＰＣＢ３５０上の光源３５４（例えば、ＬＥＤ）にＤＣ電力を供給することを可能にする、ＡＣ−ＤＣ電力変換器及び種々の他の電力調整回路を含む場合がある。あるいは、電源は、ＰＣＢ３５０上の光源３５４にＤＣ電力を供給するＤＣ電源を含む場合がある。
【００３２】
図１及び図２を参照して上で説明したように、カバーは、複数の光源を覆う複数のレンズ３３２を含む場合がある。また、レンズ３３２を有するカバー３０８は、光ビームを所望の角度で放射するために使用される場合がある。より具体的には、レンズ３３２は、例えば４０度未満のような狭い視野角で光を放射する場合がある。さらに、レンズ３３２は、４０度未満の視野角を有する楕円形を実現する場合がある。図３から見て取れるように、光源３５４は、ＰＣＢ３５０上に取り付けられる場合がある。制限はしないが、表面実装技術（ＳＭＴ）ＬＥＤ、スルーマウントＬＥＤ、又はそれらの組み合わせを含む任意のタイプの既知のＬＥＤが、ＰＣＢ３５０に取り付けられる場合がある。光源３５４がＰＣＢ３５０上に取り付けられるときのパターンは、カバー３０８上のレンズ３３２の同じパターンに対応する場合がある。光源３５４は、交換式及びモジュール式であってもよい。すなわち、あるタイプの光源３５４は、単純にカバー３０８を取り外し、光源３５４を取り外した後、異なる光源３５４をＰＣＢ３５０に取り付けることにより、別のタイプの光源３５４に交換される場合がある。
【００３３】
一部の実施形態において、モジュール式の光源３５４は、図１及び図２に示されるように、反射器カップをさらに有する場合があり、又は複数の群を形成する場合がある。一部の実施形態において、そのため、群もまた、ＰＣＢ３５０上においてモジュール式又は可動式であることが必要である場合がある。代替的又は追加的に、光源３５４又は反射器カップ群は、それが同数、又はそれよりも大きな数の光源３５４又は反射器カップを有している場合、単に別の光源３５４又は反射器カップを置き換える場合がある。もし、交換する反射器カップ群の方がより大きな数の反射器を含む場合、余分な反射器カップは空（光源を持たない）であってよいし、あるいは、ＰＣＢ３５０上の余分な反射器カップが配置される位置に、追加的な光源３５４を取り付けてもよい。ただし、交換する光源３５４又は反射器カップ群がレンズ３３２の下にフィットするように、交換する光源３５４又は反射器カップは、概ね同じ大きさでなければならない。
【００３４】
一部の実施形態において、ＰＣＢ３５０は、ＦＲ−４及び／又はＧ−１０仕様にしたがって製造された混合物を含む従来のＰＣＢ３５０である場合がある。ただし、当然ながら、ＰＣＢ３５０は、本開示の範囲を外れることなく、剛性であってもよいし、可撓性であってもよい。
【００３５】
カバー３０８のＵ字形ロックフィット縁部３４０は、ＰＣＢ３５０の周りにフィットする場合があり、カバー３０８と協働し、ＰＣＢ３５０の両方の表面上の種々の電子構成部品を種々の環境条件から保護する場合がある。具体的には、Ｕ字形縁部３４０及びカバー３０８は、ＰＣＢ３５０及びその電子構成部品を有害な湿気及び他の損傷を与える条件から保護する場合がある。一部の実施形態において、カバー３０８及びＵ字形縁部３４０は、シリコーンから作成される。カバー３０８は、光源３５４を受け入れるための適当な数のレンズ３３２を含む場合がある。第１の照明器具３００の光分散特性に変更を加える必要がある場合、カバー３０８、光源３５４、又はＰＣＢ３５０のうちの１以上を、異なるタイプの同じ構成部品に交換することが可能な場合がある。
【００３６】
次に図４を参照し、本開示の少なくとも一部の実施形態による照明器具カバー４００について説明する。この照明器具カバーは、本明細書において、キャノピー灯カバー、照明カバー、及びカバーと呼ばれることもある。照明器具カバー４００は、上記のキャノピー灯１００、２００又は照明器具３００のいずれにおいても、使用される場合がある。照明器具カバー４００は、複数の異なるレンズ４３２ａ〜ｃ、及び基部４３４を有するように構成される場合がある。具体的には、照明器具カバー４００は、第１レンズタイプの第１のレンズ４３２ａ、第２レンズタイプの第２のレンズ４３２ｂ、及び第３レンズタイプの第３のレンズ４３２ｃを含む場合がある。第１のレンズタイプは、楕円形である場合があり、第２のレンズタイプは、ある大きさの円形である場合があり、第３のレンズタイプは、他の大きさの円形である場合がある。照明器具カバー４００上には３つのレンズタイプが示されているが、当然ながら、本開示の種々の実施形態により使用される照明器具カバーは、任意の異なる数のレンズ４３２及びレンズタイプを有する場合がある。具体的には、本明細書に記載される照明器具カバーはいずれも、本開示の範囲を外れることなく、１、２、３、４、５、６、７、８、又はそれより多くの異なるタイプのレンズ４３２を有する場合がある。異なるレンズタイプは、大きさ、形状、高さ、深さ、幅、反射率、材料（例えば、エポキシ、シリコーン、シリコーンとエポキシの混合物、蛍光体、蛍光体とシリコーンの混合物、アモルファスのポリイミド樹脂又はフッ化炭素、ガラス、プラスチック、それらの組み合わせ）、回折要素、色合い／色、含有物、放射角などのうちの１以上にわたって異なる場合がある。したがって、レンズ４３２ａ〜ｃは、異なる大きさ及び形状を有するものとして示されているが、当然ながら、照明器具カバーは、同じ大きさ及び形状を有し、かつ異なる反射角又は放射率を有するレンズ４３２を有する場合もあると考えられる。例えば、レンズによっては、光を拡散させる材料でコーティングされる場合もあれば、光を他の角度で反射させる場合もある。
【００３７】
一部の実施形態において、各レンズ４３２は、光源を受け入れるように構成される。光源は、異なるレンズ４３２ごとに異なる場合がある。具体的には、一部の光源は、他の光源に比べて明るい、すなわち強い強度を有する場合がある。種々の実施形態において、一部の光源は、他の光源とは異なる形状、大きさ、又は色を有する場合がある。したがって、レンズ４３２及びカバー４０８は、特定の光源のために設計される場合がある。
【００３８】
一部の実施形態においては、照明器具カバー４００の耐久性を向上させ、照明器具カバー４００の重量を低減するために、照明器具カバー４００は、シリコーンから作成される場合がある。その結果、照明器具の総重量も低減される場合がある。あるいは、照明カバー４００は、プラスチック、ガラス、ポリマーなどから製造される場合があり、光を拡散させる材料でコーティングされる場合がある。
【００３９】
図５は、図４に示した照明器具カバー４００のＡ−Ａ（断面）図である。一部の実施形態において、照明器具カバー５００は、制限はしないが、１以上のレンズ５３２、及びＵ字形ロックフィット縁部５４０を含む場合がある。Ｕ字形縁部５４０は、照明器具のＰＣＢ、ヒートシンク、又は他の表面の周りにパチンと取り付けられ、カバー５００を照明器具上に保持することができる。ＰＣＢ又はヒートシンクがさらに、カバー５００の中にポンと入れられる場合がある。Ｕ字形縁部５４０はカバー５００の周囲全体の周りに延び、（もしカバーが正方形又は矩形であれば）Ｕ字形縁部５４０はカバー５００の４辺全てに接触し、４辺全てにおいてＰＣＢの上にパチンと取り付けられる場合がある。あるいは、Ｕ字形縁部５４０は、カバー５００の２以上の辺の上にのみ存在する場合がある。特定の実施形態において、Ｕ字形縁部５４０がカバー５００のあらゆる縁に接触する場合、カバー５００はよりしっかりと固定される場合がある。Ｕ字形縁部５４０をあらゆる辺上に有することで、照明器具の光源及び他の電子構成部品は、湿気、熱、及び気候からさらに保護される。一実施形態において、カバーは、照明器具の形状、及びカバーが取り付けられる相手方のＰＣＢの形状に応じて、丸みを帯びた形、又は楕円形であってもよい。カバー５００が照明器具の上端全体を包み込むため、水、熱、及び気候が照明器具に侵入することができる点は、少なくなる。
【００４０】
一部の実施形態において、Ｕ字形縁部５４０は、上面５４４、側面５４６、及び底面５４２を有する。上面５４４は、ＰＣＢ又は他の基部の上面の上に直接存在してもよい。代替的又は追加的に、Ｕ字形縁部５４０の上面５４４とＰＣＢの上面との間には、空間が存在する場合がある。Ｕ字形縁部５４０の側面５４６は、ＰＣＢ又は他の基部の側面に直接接触する場合がある。さらに、Ｕ字形縁部５４０は、ＰＣＢの側面の表面形状と同一又は類似の表面形状を有する場合があり、取り付けられたときにＵ字形縁部５４０がＰＣＢにぴったりとフィットするように構成される場合がある。一部の実施形態において、Ｕ字形縁部５４０の側面５４６とＰＣＢの側面との間には、空間が存在する場合がある。Ｕ字形縁部５４０の底面５４２は、ＰＣＢ又は他の基部の底面の下に直接存在する場合がある。あるいは、Ｕ字形縁部５４０の底面５４２とＰＣＢの底面との間には、空間が存在する場合がある。特定の実施形態では、カバー５００をＰＣＢにしっかりと固定するために、Ｕ字形縁部５４０とＰＣＢの間には、可能な限り小さな空間が存在する場合がある。他の実施形態において、Ｕ字形縁部５４０は、Ｕ字形ではなくむしろ、正方形、又は丸みを帯びた形である場合がある。
【００４１】
一部の実施形態においては、Ｕ字形縁部５４０を有するカバー５００を使用する種々の利点がある。第１に、もしカバー５００が可撓性材料（例えば、シリコーン）から作成される場合、Ｕ字型縁部５４０をＰＣＢ又は他の照明器具基部の周りにパチンと取り付け、固定し、締め付け、留め、引っ掛け、押し付け、取り付け、又はしっかりと固定することにより、カバー５００をＰＣＢ又は他の照明器具基部に取り付けることができる。Ｕ字形縁部５４０は、摩擦嵌合、スナップフィット、締まりばめ、圧入、機械的結合等の手段により、ＰＣＢ又は他の照明器具基部に取り付けることができる。Ｕ字形縁部５４０は、ねじを用いてカバーをＰＣＢ又は照明器具基部に物理的にしっかりと固定する必要性を低減し、又は無くす。したがって、Ｕ字形縁部５４０によれば、照明器具における部品（例えば、ねじ、ナット、ボルト、ワッシャーなど）の数が低減され、それによって、照明器具の総重量も低減される場合がある。重量の低減は、キャノピー照明器具に関連する他のリスクも低減する場合がある。キャノピー灯は、高い天井によく使用され、特に倉庫において使用される。キャノピー照明器具が天井から落下した場合、非常に危険なことがある。したがって、キャノピー照明器具をより軽くすることにより、天井から落下する照明器具のリスクは低減される。また、カバー５００がシリコーンのような可撓性材料から作成されていれば、照明器具が天井から落下した場合でも、ガラスのカバーを有するものに比べて、発生する衝撃は小さくなる。
【００４２】
一実施形態において、Ｕ字形縁部５４０を備えた可撓性カバー５００を照明器具にパチンと取り付けることは、ガラスカバーを照明器具に物理的にねじどめすることに比べて、あまり時間を要しない。したがって、照明器具を組み立てる時間及びコストが低減される。
【００４３】
強化ガラスカバーは破壊可能であり、強化ガラスカバーは、組み立て中に照明器具にねじどめされるときによく壊れる。ガラスカバーの破損は、組み立てプロセスにおいて余分なコスト、時間、及び安全性リスクを強いる。したがって、ガラスカバーをねじでしっかりと固定する必要性が無くなれば、組み立てのコスト、時間、及び安全性リスクは低減されることになる。本開示の種々の実施形態によるＵ字形縁部５４０を備えた可撓性カバー５００の製造は、照明器具の組み立てプロセスを単純化する。
【００４４】
照明器具カバー５００上には、３つのレンズ５３２ａ〜ｃが示されているが、当然ながら、本開示の種々の実施形態にしたがって使用される照明カバーは、もっと多くの、又はもっと少ない数のレンズを有する場合もある。また、照明器具カバー５００上に示されている３つのレンズ５３２ａ〜ｃは同じタイプであるが、当然ながら、本開示の種々の実施形態にしたがって使用される照明カバーは、２以上の異なるタイプのレンズを有する場合もある。レンズは、大きさ、形状、高さ、深さ、幅、反射率、材料（例えば、エポキシ、シリコーン、シリコーンとエポキシの混合物、蛍光体、蛍光体とシリコーンの混合物、アモルファスのポリイミド樹脂又はフッ化炭素、ガラス、プラスチック、それらの組み合わせ）、回折要素、色合い／色、含有物、放射角などのうちの１以上が異なる場合がある。
【００４５】
当然ながら、他のＵ字形以外の形状も、カバー５００の縁部５４０に使用されることができる。例えば、Ｖ字形、又は照明器具の外周縁に対する任意の他の等角形状は、本開示の範囲から外れることなく、使用されることができる。
【００４６】
図６は、本開示の種々の実施形態にしたがって説明される、第２の照明器具６００の側面図である。第２の照明器具６００は、第２の照明器具６００が複数の異なる照明目的（例えば、居住設備、工業的、商業的など）において光を提供することを可能にする１以上の構成要素を含む場合がある。また、第２の照明器具６００の種々の構成要素は、本明細書に記載される他の類似タイプの構成要素と交換可能である場合がある。具体的には、第２の照明器具６００の種々の構成要素は、事実上、モジュラー式である場合があり、したがって、複数の異なる照明目的に簡単に適合可能である場合がある。一部の実施形態において、第２の照明器具６００は、複数タイプの光源（例えば、異なる光特性を有する光源）提供する機能を有するため、ハイブリッド・キャノピー灯とみなされる場合がある。当然ながら、第２の照明器具６００の種々の構成部品に関して本明細書に記載される詳細は、第１若しくは第２のキャノピー灯１００、２００、又は第１の照明器具３００の構成部品にも適用される場合がある。さらに、第１若しくは第２のキャノピー灯１００、２００、又は第１の照明器具３００に関連して説明した態様はいずれも、第２の照明器具６００にも適用される場合がある。
【００４７】
第２の照明器具６００に含まれる場合がある非制限的な例である構成要素としては、１以上のレンズ６３２及びＵ字形縁部６４０を備えたカバー６０８、１以上の光源６５４、ＰＣＢ６５０、及びヒートシンク６５２が挙げられる。一実施形態において、光源６５４は、ＬＥＤである場合がある。
【００４８】
図６に示される実施形態において、第２の照明器具６００は、６つの光源６５４及び６つのレンズ６３２の少なくとも１つの行を含む。第２の照明器具６００は、光源６５４及びレンズ６３２の２以上の行を含む場合がある。さらに、第２の照明器具６００は、１行の中に６つより多くの、又は６つより少ない数の光源６５４及びレンズ６３２を含む場合がある。実際、第２の照明器具６００は、任意数の光源６５４及びレンズ６３２を含むことができ、光源６５４及びレンズ６３２の各行が、異なる数の光源６５４及びレンズ６３２を有する場合もあれば、又は、光源６５４及びレンズ６３２が、行を成すように全く配置されない場合もある。
【００４９】
一部の実施形態において、一部の光源６５４は、他の光源６５４に比べて明るく、又は強い強度を有する場合がある。また、一部の光源６５４は、他の光源６５４とは異なる形状／大きさを有する場合がある。したがって、レンズ６３２及びカバー６０８は、特定の光源６５４のために設計される場合がある。一部の実施形態において、各光源６５４は、独自のレンズ６３２を有する場合がある。他の実施形態において、一部の光源６５４は、レンズ６３２を有する一方、他の光源６５４は、レンズ６３２を有しない場合がある。さらに別の実施形態では、複数の光源６５４が、単一のレンズ６３２を共有する場合がある。
【００５０】
一部の実施形態では、光源６５４がそれぞれ、ＰＣＢ６５０又は発光体群の上に直接配置される場合があり、上記実施形態において説明したように、反射器カップが使用される場合がある。一実施形態において、レンズ６３２を備えたカバー６０８は、ＰＣＢ６５０及び光源６５４に寄り添う形でそれらの上に直接フィットする場合がある。カバー６０８は、ＰＣＢ６５０の周りにロックフィットを形成し、ねじ又は他の機械部品を使用することなくカバー６０８をＰＣＢ６５０の上に物理的に固定するためのＵ字形縁部をさらに有する場合がある。
【００５１】
実施形態によっては、光源６５４から熱を除去するために、ヒートシンク６５２が使用される場合がある。ヒートシンク６５２は、限定はしないが例えば、アルミニウム、アルミニウム合金、金属合金、銅、ダイヤモンド、人工ダイヤモンド、複合材料、銅−タングステン疑似合金、ＡｌＳｉＣ（アルミニウム基材に炭化ケイ素を入れたもの）、ダイマロイ（Dymalloy：銅−銀合金基材にダイヤモンドを入れたもの）、及びイー・マテリアル（E-Material：ベリリウム基材に酸化ベリリウムを入れたもの）を含む、任意の熱伝導性の材料から構成されることができる。代替的又は追加的に、ヒートシンクは、金属スラッグであってもよい。実施形態によっては、ヒートシンク６５２は、ヒートシンク６５２の表面積を増加させるために、フィン又はグローブを有する場合があり、したがって、所与の時間においてヒートシンク６５２が放散させることができる熱の量は増加される場合がある。フィンは、円筒形、楕円形、又は正方形のピンであってもよく、あるいはフィンは、ヒートシンク６５２の一部又は全長にわたって延在するプレートであってもよい。
【００５２】
図７は、カバー７０８を第３の照明器具７００から取り外す具体的方法を示している。当然ながら、第３の照明器具７００の種々の構成部品に関して本明細書に記載される詳細は、第１若しくは第２のキャノピー灯１００、２００、又は第１若しくは第２の照明器具３００、６００の構成部品にも適用される場合がある。さらに、第１若しくは第２のキャノピー灯１００、２００、又は第１若しくは第２の照明器具３００、６００に関連して説明した態様はいずれも、第３の照明器具７００にも適用される場合がある。
【００５３】
第３の照明器具７００に含まれる場合がある非制限的な例である構成要素としては、カバー７０８、１以上の光源７５４、ＰＣＢ７５０、及びヒートシンク７５２が挙げられる。ヒートシンク７５２は、図６にしたがって説明されたヒートシンク６５２に類似するものであってもよい。カバー７０８は、１以上のレンズ７３２、１以上のＵ字形縁部７４０、及び、光源７５４のための１以上のポケット７３６を含む場合がある。ポケット７３６は、光源７５４と同じ形状であってもよく、又は、光源７５４よりも大きくてもよい。さらに、ポケット７３６は、異なる形状、大きさ、及びタイプの光源７５４を受け入れることができるように設計される場合がある。ポケット７３６は、図７に示されているように、互いに全て同じ大きさである場合がある。あるいは、ポケット７３６は、大きさ、形状などのうちの１以上が異なるものであってもよい。各ポケット７３６は、特定の光源７５４又はレンズタイプに対応するように設計される場合がある。種々の実施形態において、光源７５４は、光源７５４の上端に封止材７５６を備えたＬＥＤであってもよい。封止材７５４は、空気、エポキシ、又は当該技術分野において周知の他の封止材であってよい。
【００５４】
図７に示される実施形態において、第３の照明器具７００は、６つの光源７５４及び６つのレンズ７３２の少なくとも１つの行を含む。第３の照明器具７００は、光源７５４及びレンズ７３２の２以上の行を含む場合がある。さらに、第３の照明器具７００は、任意の構成を成して配置された任意数の光源７５４及びレンズ７３２を含む場合がある。
【００５５】
光源７５４はそれぞれ、ＰＣＢ７５０又は発光体群の上に直接配置される場合があり、上記実施形態において説明したように、反射器カップが使用される場合がある。さらに、レンズ７３２を備えたカバー７０８は、ＰＣＢ７５０及び光源７５４に寄り添う形でそれらの上に直接フィットする場合がある。第３の照明器具７００上に示されているカバー７０８は、ＰＣＢ７５０の周りにロックフィットを形成し、ねじ又は他の機械部品を使用することなくカバー７０８をＰＣＢ７５０の上に物理的に固定するためのＵ字形縁部７４０をさらに有する場合がある。
【００５６】
Ｕ字形縁部７４０をＰＣＢ７５０の一辺の上にパチンと取り付けた後、別のＵ字形縁部７４０を他の辺の上にパチンと取り付け、これを全てのＵ字形縁部７４０がＰＣＢ７５０に物理的に取り付けられるまで行うことにより、カバー７０８をＰＣＢ７５０取り付けることができる。
【００５７】
次に、図８を参照し、本開示の少なくとも一部の実施形態にしたがって、第４の照明器具８００について説明する。当然ながら、第４の照明器具８００の種々の構成部品に関して本明細書に記載される詳細は、第１若しくは第２のキャノピー灯１００、２００、又は第１、第２若しくは第３の照明器具３００、６００、７００の構成部品にも適用される場合がある。また、第１若しくは第２のキャノピー灯１００、２００、又は第１、第２若しくは第３の照明器具３００、６００、７００に関連して説明した態様はいずれも、第４の照明器具８００にも適用される場合がある。
【００５８】
第４の照明器具８００に含まれる場合がある非制限的な例である構成要素としては、カバー８０８、１以上の光源８５４（これは、実施形態によってはＬＥＤである場合がある）、カバー８０８をＰＣＢ８５０にしっかりと固定するための１以上のメス型固定手段８６０を備えたＰＣＢ８５０、及びヒートシンク８５２が挙げられる。ヒートシンク８５２は、図６にしたがって説明したヒートシンク６５２に類似するものであってもよい。カバー８０８は、１以上のレンズ８３２、１以上のＵ字形縁部８４０、及び、カバー８０８をＰＣＢ８５０にしっかりと固定するための１以上のオス型固定手段８６２を含む場合がある。
【００５９】
図８に示される実施形態において、第４の照明器具８００は、６つの光源８５４及び６つのレンズ８３２の少なくとも１つの行を含む。第４の照明器具８００は、光源８５４及びレンズ８３２の２以上の行を含む場合がある。さらに、第４の照明器具８００は、任意の構成を成して配置された任意数の光源８５４及びレンズ８３２を含む場合がある。
【００６０】
一実施形態において、第４の照明器具８００は、各レンズ８３２の間に、少なくとも１つのオス型及びメス型固定手段８６２、８６０を含む。実施形態によっては、カバー８０８及びＰＣＢ８５０上に、もっと多くの、又はもっと少ない数のオス型及びメス型固定手段８６２、８６０を含む場合がある。一部の実施形態において、オス型固定手段８６２は、正方形、Ｔ字形、丸みを帯びた形、ラッチ形、円錐形、又は、当該技術分野において周知の任意の他のオス型コネクタ形状のうちの１以上である場合がある。メス型固定手段８６０は、オス型固定手段８６２の形状に対応するような形状でなければならない。したがって、メス型固定手段８６０は、正方形、Ｔ字形、丸みを帯びた形、ラッチ形、円錐形、又は、当該技術分野において周知の任意の他のメス型コネクタ形状のうちの１以上である場合がある。例えば、オス型固定手段８６２は、くぎであってもよく、メス型固定手段８６０は、そのくぎにフィットする穴であってもよい。一部の実施形態において、オス型固定手段８６２は、スライド又は舌の形であってよく、メス型固定手段８６２は、そのスライド又は舌の形にフィットする溝であってもよい。一実施形態において、オス型及びメス型固定手段８６２、８６０は、互いにフィットし、カバー８０８及び／又はＰＣＢ８５０に対する曲げ、旋回、ねじり、けん引、又は引っ張りを必要とすることなく、カバー８０８がＰＣＢ８５０から分離することを防止する。
【００６１】
光源８５４はそれぞれ、ＰＣＢ８５０又は発光体群の上に直接配置される場合があり、上記実施形態において説明したように、反射器カップが使用される場合がある。さらに、レンズ８３２及びオス型固定手段８６２を備えたカバー８０８は、ＰＣＢ８５０及び光源８５４に寄り添う形でそれらの上に直接フィットする場合がある。第４の照明器具８００上に示されているカバー８０８は、ＰＣＢ８５０の周りにロックフィットを形成し、ねじ又は他の機械部品を使用することなくカバー８０８をＰＣＢ８５０の上に物理的に固定するためのＵ字形縁部をさらに含む場合がある。オス型及びメス型固定手段８６２、８６０、及びＵ字型縁部８４０の組み合わせは、協働して、カバー８０８を第４の照明器具８００の上にしっかりと固定することができる。
【００６２】
図６〜図８を参照すると、一部の実施形態では、光ビームを所望の角度で放射するために、レンズ６３２、７３２、８３２を備えたカバー６０８、７０８、８０８が使用される場合がある。より具体的には、レンズ６３２、７３２、８３２は、例えば、４０度未満のような、狭い視野角で光を放射する場合がある。さらに、レンズ６３２、７３２、８３２は、４０度未満の視野角を有する楕円形を実現する場合がある。
【００６３】
一部の実施形態において、光源６５４、７５４、８５４は、ＬＥＤに対応する場合がある。制限はしないが、表面実装技術（ＳＭＴ）ＬＥＤ、スルーマウントＬＥＤ、又はそれらの組み合わせを含む任意のタイプの既知のＬＥＤが、ＰＣＢ６５０、７５０、８５０に取り付けられる場合がある。光源６５４、７５４、８５４がＰＣＢ６５０、７５０、８５０上に取り付けられるときのパターンは、カバー６０８、７０８、８０８上のレンズ６３２、７３２、８３２の同じパターンに対応する場合がある。光源６５４、７５４、８５４は、交換式及びモジュール式であってもよく、これは、単純にカバー６０８、７０８、８０８を取り外し、光源６５４、７５４、８５４を取り外した後、別の光源６５４、７５４、８５４をＰＣＢ６５０、７５０、８５０に取り付けることによって、あるタイプの光源６５４、７５４、８５４を別のタイプの光源６５４、７５４、８５４に交換することができることを意味する。
【００６４】
一部の実施形態において、ＰＣＢ６５０、７５０、８５０は、ＦＲ−４及び／又はＧ−１０仕様にしたがって製造された混合物を含む従来のＰＣＢ６５０、７５０、８５０である場合がある。ただし、当然ながら、ＰＣＢ６５０、７５０、８５０は、本開示の範囲を外れることなく、剛性であってもよいし、可撓性であってもよい。
【００６５】
カバー６０８、７０８、８０８のＵ字形ロックフィット縁部６４０、７４０、８４０は、ＰＣＢ６５０、７５０、８５０の周りにフィットする場合があり、カバー６０８、７０８、８０８と協働し、ＰＣＢ６５０、７５０、８５０の両方の表面上の種々の電子構成部品を種々の環境条件から保護する場合がある。具体的には、Ｕ字形縁部６４０、７４０、８４０及びカバー６０８、７０８、８０８は、ＰＣＢ６５０、７５０、８５０及びその電子構成部品を有害な湿気及び他の損傷を与える条件から保護する場合がある。一部の実施形態において、カバー６０８、７０８、８０８及びＵ字形縁部６４０、７４０、８４０は、シリコーンから作成される。カバー６０８、７０８、８０８は、光源６５４、７５４、８５４を受け入れるために適当な数のレンズ６３２、７３２、８３２を含む場合がある。照明器具６００、７００、８００の光分散特性に変更を加える必要がある場合、カバー６０８、７０８、８０８、光源６５４、７５４、８５４、又はＰＣＢ６５０、７５０、８５０のうちの１以上を、異なるタイプの同じ構成部品に置き換えることが可能な場合がある。
【００６６】
一部の実施形態において、カバー６０８、７０８、８０８上の種々のレンズ６３２、７３２、８３２は、異なるレンズタイプであってもよく、形状（例えば、ドーム形、平坦、多焦点など）、材料（例えば、エポキシ、シリコーン、シリコーンとエポキシの混合物、蛍光体、蛍光体とシリコーンの混合物、アモルファスのポリイミド樹脂又はフッ化炭素、ガラス、プラスチック、それらの組み合わせ）、回折要素、色合い／色、含有物、染料、色、放射角、高さ、幅、深さ、反射率などのうちの１以上にわたって異なる場合がある。したがって、レンズ６３２、７３２、８３２は、同じ大きさ及び形状を有するものとして示されているが、当然ながら、照明器具カバー６０８、７０８、８０８は、同じ大きさ及び形状を有し、かつ異なる放射角を有するレンズ６３２、７３２、８３２であってもよく、又は、レンズ６３２、７３２、８３２は、異なる形状及び大きさからなる場合がある。さらに、一部のレンズ６３２、７３２、８３２は、光を拡散させるのに適した材料でコーティングされる場合がある。
【００６７】
次に図９を参照し、照明カバー製造方法について、本開示の種々の実施形態にしたがって説明する。この方法は、照明対象、又は照明すべき領域を決定すること（ステップ９０２）により開始される。上記のとおり、照明対象は、場所によって異なる場合があり、各場所は、異なる照明を必要とする場合がある。照明の必要性は、周囲の光条件、光要件などによって変わる場合がある。
【００６８】
照明対象に基づいて、最適なレンズ及びカバー構成が決定される（ステップ９０４）。この最適なレンズ及びカバー設計は、単一タイプのレンズを必要とする場合がある。ただし、多くの照明対象は、異なるタイプの光源及びレンズを含むハイブリッド・キャノピー灯の使用から利益を得ることができる。
【００６９】
照明対象、及び、レンズ及びカバー設計に基づいて、最適なレンズ及びカバー材料（複数可）が決定される（ステップ９０６）。最適なレンズ及びカバー材料（複数可）は、単一材料を必要とする場合もあれば、２以上の材料の組み合わせを必要とする場合もある。材料（複数可）が選択された後、材料（複数可）が提供される（ステップ９０８）。
【００７０】
次に、決定された最適な設計を有する１以上のカバー・モールドが用意され、所望の材料（複数可）が、そのモールド形状に成形される（ステップ９１０）。具体的には、カバー・モールドは、異なるタイプ、形、及び大きさを有する場合もあれば、有しない場合もある複数の異なるレンズを有する場合がある。一部の実施形態において、モールドは、カバー１０８、２０８、３０８、４００、５００、６０８、７０８、８０８、又は異なる光配向特性を有する１以上のレンズを有するカバーのうちの１つの形状を有する場合がある。
【００７１】
材料（複数可）をモールドに入れた後、材料（複数可）をモールドの形に固化させなければならない（ステップ９１２）。したがって、ここで、材料（複数可）は、最適なレンズ及びカバー設計の形状となる。材料（複数可）が固化し、所望のレンズ及びカバー設計の形状になった後、照明器具カバーは、モールドから取り外される（ステップ９１４）。
【００７２】
その後、最適な照明器具カバーは、照明器具に取り付けられる（ステップ９１６）。カバーは、カバーを照明器具に対してパチンと取り付けることによって、照明器具に取り付けられる場合がある。照明器具は、第１若しくは第２のキャノピー灯１００、２００、又は第１、第２、第３若しくは第４の照明器具３００、６００、７００、８００のうちの１つである場合がある。
【００７３】
種々の実施形態を完全に理解してもらうために、説明中に、種々の具体的な詳細を記載した。しかしながら、当業者であれば、それらの実施形態が、そうした具体的な詳細なしに実施することも可能であることを理解するであろう。その他、実施形態が不明瞭になることを避けるために、周知の回路、プロセス、アルゴリズム、構造、及び技術については、不要な詳細なしに示される場合がある。
【００７４】
本明細書では、本開示の種々の例示的実施形態について詳細に説明しているが、本発明の概念は、様々な形で実施及び実現される場合があり、添付の特許請求の範囲は、従来技術により制限される場合を除き、そのような変形も含むものとして解釈すべきである。
【符号の説明】
【００７５】
３５０、６５０、７５０、８５０  プリント回路基板
６５２、７５２、８５２  ヒートシンク
１０８、２０８、３０８、４００、５００、４０８、６０８、７０８  カバー
１３２、３３２、４３２、５３２、６３２、７３２、８３２  レンズ
【図１】
2014120477.tif 000003
【図２】
2014120477.tif 000004
【図３】
2014120477.tif 000005
【図４】
2014120477.tif 000006
【図５】
2014120477.tif 000007
【図６】
2014120477.tif 000008
【図７】
2014120477.tif 000009
【図８】
2014120477.tif 000010
【図９】
2014120477.tif 000011
【外国語明細書】
2014120477000001.pdf